(57)【要約】【課題】従来、音出力機器から出力される音楽や音声に加えて、ヘッドホンのアンテナが受信した無線信号から構成された音声を視聴でない、という課題があった。【解決手段】一方の端部にコネクタ部を、他方の端部に音響出力部を備え、両端部を接続するコードの間に中継部を有し、中継部は、無線信号を受信するアンテナと、アンテナが受信した無線信号から音声信号を出力するチューナー手段と、出力した音声信号を処理し、音声を構成する信号処理手段と、入力に応じた命令を音出力機器に送信する命令送信手段と、音出力機器が出力した音声、または信号処理手段が構成した音声を選択する選択手段を具備し、選択手段が選択した音声が音響出力部に出力されるアンテナ内蔵型ヘッドホンにより、音出力機器から出力される音楽や音声に加えて、ヘッドホンのアンテナが受信した無線信号から構成された音声を視聴できる。【選択図】図１
2008028433.tif 000002
【特許請求の範囲】
【請求項１】
一方の端部に音出力機器に接続されるコネクタ部を、他方の端部に音響出力部を備え、
両端部を接続するコードの間に中継部を有するアンテナ内蔵型ヘッドホンであって、
前記中継部は、
ユーザからの入力を受け付ける入力受付手段と、
無線信号を受信するアンテナと、
前記アンテナが受信した無線信号から音声信号を出力するチューナー手段と、
前記チューナー手段が出力した音声信号を処理し、音声を構成する信号処理手段と、
前記入力受付手段が受け付けた入力に応じて、前記音出力機器に命令を送信する命令送信手段と、
前記命令送信手段が送信した命令に対応して、前記音出力機器が出力した音声、または前記信号処理手段が構成した音声のいずれかを選択する選択手段を具備し、
前記選択手段が選択した音声が前記音響出力部に出力されるアンテナ内蔵型ヘッドホン。
【請求項２】
前記チューナー手段は、
前記入力受付手段が受け付けた入力に応じて、前記アンテナが受信した２以上の周波数の無線信号から一の無線信号を選択し、当該選択した一の無線信号から音声信号を出力し、
前記選択手段は、
前記入力受付手段が一の入力を連続して受け付けた場合に、当該連続した入力の受け付けに応じて、シームレスに、前記音出力機器が出力した音声、または前記信号処理手段が構成した音声を選択する請求項１記載のアンテナ内蔵型ヘッドホン。
【請求項３】
前記中継部は、電源部をさらに具備し、
前記コネクタ部が音出力機器に接続されていない場合でも、前記信号処理手段が構成した音声であり、前記選択手段が取得した音声が前記音響出力部に出力される請求項１または請求項２記載のアンテナ内蔵型ヘッドホン。
【請求項４】
前記中継部は、ノイズをキャンセルするノイズキャンセル手段を具備する請求項１から請求項３いずれか記載のアンテナ内蔵型ヘッドホン。
【請求項５】
前記無線信号は、ＦＭ放送波である請求項１から請求項４いずれか記載のアンテナ内蔵型ヘッドホン。
【発明の詳細な説明】
【技術分野】
【０００１】
本発明は、アンテナを内蔵しており、無線信号のチューナー手段を具備するヘッドホン等に関するものである。
【背景技術】
【０００２】
従来、簡単な構成で感度良く広い周波数帯の電波信号を受信することのできるイヤホンマイクロホンがある（例えば、特許文献１参照）。本イヤホンマイクロホンにおいて、一方の端部にコネクタ部を、他方の端部に音響出力部を備え、両端部を接続するコードの中間にマイクロホン回路を搭載した基板を有するイヤホンマイクロホンであって、音響出力部と基板との間を接続するコードを並行２芯ケーブルで構成し、この並行２芯ケーブルの一方の心線をアンテナとして機能させ、このアンテナで受信した電波信号を基板とコネクタ部との間を接続するコードを介して伝達し、コネクタ部からチューナー手段を有する外部機器へ出力する。
【０００３】
また、従来のＦＭ／ＴＶ（ＵＨＦ／ＶＨＦ）対応携帯電話では、チューナーアンテナとしてイヤホンを利用しているが、受信感度の確保の為、本体側に高周波減衰素子（チップビーズ等）の多数実装されている。
【特許文献１】特開２００５−３５４２７５号公報（第１頁、第１図等）
【発明の開示】
【発明が解決しようとする課題】
【０００４】
しかしながら、従来のイヤホンマイクロホンにおいては、ユーザは、コネクタ部が接続される音出力機器から出力される音楽や音声のみしか利用できなかった。
【０００５】
また、従来のＦＭ／ＴＶ（ＵＨＦ／ＶＨＦ）対応携帯電話において、携帯電話本体側の高周波減衰素子周辺はパターンの制約があり、基板内層も含め基板スペースを犠牲にしていた。
【課題を解決するための手段】
【０００６】
本第一の発明のアンテナ内蔵型ヘッドホンは、一方の端部に音出力機器に接続されるコネクタ部を、他方の端部に音響出力部を備え、両端部を接続するコードの間に中継部を有するアンテナ内蔵型ヘッドホンであって、前記中継部は、ユーザからの入力を受け付ける入力受付手段と、無線信号を受信するアンテナと、前記アンテナが受信した無線信号から音声信号を出力するチューナー手段と、前記チューナー手段が出力した音声信号を処理し、音声を構成する信号処理手段と、前記入力受付手段が受け付けた入力に応じて、前記音出力機器に命令を送信する命令送信手段と、前記命令送信手段が送信した命令に対応して、前記音出力機器が出力した音声、または前記信号処理手段が構成した音声のいずれかを選択する選択手段を具備し、前記選択手段が選択した音声が前記音響出力部に出力されるアンテナ内蔵型ヘッドホンである。
【０００７】
かかる構成により、音出力機器から出力される音楽や音声に加えて、アンテナ内蔵型ヘッドホンが内蔵している信号処理手段が構成した音声を視聴できる。したがって、チューナー手段が例えば、ＦＭチューナーであり、本アンテナ内蔵型ヘッドホンを持ち運び、２以上の音出力機器に接続することにより、ＦＭチューナー付の複数の音出力機器が実現できる。
【０００８】
また、本第二の発明のアンテナ内蔵型ヘッドホンは、第一の発明に対して、前記チューナー手段は、前記入力受付手段が受け付けた入力に応じて、前記アンテナが受信した２以上の周波数の無線信号から一の無線信号を選択し、当該選択した一の無線信号から音声信号を出力し、前記選択手段は、前記入力受付手段が一の入力を連続して受け付けた場合に、当該連続した入力の受け付けに応じて、シームレスに、前記音出力機器が出力した音声、または前記信号処理手段が構成した音声を選択するアンテナ内蔵型ヘッドホンである。
【０００９】
かかる構成により、音出力機器が出力した音声、または信号処理手段が構成した音声をシームレスに切り替えることができる。
【００１０】
また、本第三の発明のアンテナ内蔵型ヘッドホンは、第一、第二いずれかの発明に対して、前記中継部は、電源部をさらに具備し、前記コネクタ部が音出力機器に接続されていない場合でも、前記信号処理手段が構成した音声であり、前記選択手段が取得した音声が前記音響出力部に出力されるアンテナ内蔵型ヘッドホンである。
【００１１】
かかる構成により、アンテナ内蔵型ヘッドホンのみでも、信号処理手段が構成した音声を視聴できる。
【００１２】
また、本第四の発明のアンテナ内蔵型ヘッドホンは、第一から第三いずれかの発明に対して、前記中継部は、ノイズをキャンセルするノイズキャンセル手段を具備するアンテナ内蔵型ヘッドホンである。
【００１３】
かかる構成により、音声の質が向上する。
【００１４】
また、本第五の発明のアンテナ内蔵型ヘッドホンは、第一から第四いずれかの発明に対して、前記無線信号は、ＦＭ放送波であるアンテナ内蔵型ヘッドホンである。
【００１５】
かかる構成により、本アンテナ内蔵型ヘッドホンを持ち運び、２以上の音出力機器に接続することにより、ＦＭチューナー手段付の複数の音出力機器が実現できる。
【発明の効果】
【００１６】
本発明によるアンテナ内蔵型ヘッドホンによれば、音出力機器から出力される音楽や音声に加えて、アンテナ内蔵型ヘッドホンが内蔵している信号処理手段が構成した音声を視聴できる。
【発明を実施するための最良の形態】
【００１７】
以下、アンテナ内蔵型ヘッドホン等の実施形態について図面を参照して説明する。なお、実施の形態において同じ符号を付した構成要素は同様の動作を行うので、再度の説明を省略する場合がある。
（実施の形態１）
【００１８】
図１は、本アンテナ内蔵型ヘッドホンの一例を示す斜視図である。本アンテナ内蔵型ヘッドホンは、コネクタ部１、音響出力部２、コード３、丸ピンタイプ３極STプラグ４、および中継部５を具備する。
【００１９】
また、中継部５は、入力受付手段５１、アンテナ５２、チューナー手段５３、信号処理手段５４、命令送信手段５５、選択手段５６を具備する。図２は、中継部５の構成例を示すブロック図である。
【００２０】
コネクタ部１は、アンテナ内蔵型ヘッドホンの一方の端部であり、音出力機器に接続される部位である。コネクタ部１は、例えば、携帯電話１０ピンコネクタである。コネクタ部１は、例えば、ハードディスク付音楽プレーヤーや、ＣＤプレーヤーや、ＭＤプレーヤーなどと接続される丸ピンタイプのプラグでも良い。つまり、音出力機器は、携帯電話や、ハードディスク付音楽プレーヤーや、ＣＤプレーヤーや、ＭＤプレーヤーなどである。
【００２１】
音響出力部２は、スピーカー２ａおよび２ｂを具備する。スピーカー２ａは、例えば、右耳用スピーカー、スピーカー２ｂは、例えば、左耳用スピーカーである。
【００２２】
コード３は、コネクタ部１と中継部５の間の第一コード３１、丸ピンタイプ３極STプラグ４と音響出力部２の間の第二コード３２を具備する。第一コード３１は、利用周波数で異なるが、例えば、ＦＭ受信の場合概ね９０ｃｍぐらいが好適である。コード３は、命令送信手段５５が音出力機器に命令を送信する命令送信用のコードであり、かつ、音出力機器から出力される音声や、信号処理手段５４が出力する音声を送信する音響用コードである。第一コード３１は、例えば、命令送信手段５５が音出力機器に命令を送信する命令送信用のコードと、音出力機器から出力される音声を送信する音響用コードの２本以上のコードが、チューブ等によりまとめらている。また、第二コード３２は、例えば、音響用コードであり、スピーカー２ａ用および２ｂ用の２本がチューブ等によりまとめらている。
【００２３】
丸ピンタイプ３極STプラグ４は、第二コード３２により音響出力部２に接続され、かつ中継部５に挿入される。
【００２４】
中継部５は、中継部５が有するアンテナが受信した無線信号から構成される音声を音響出力部２に送信したり、音出力機器から出力された音声を音響出力部２に送信したり、アンテナが受信した無線信号から構成される音声と、音出力機器から出力された音声を切り替えて音響出力部２に送信したりする。中継部５は、例えば、一つの基板を具備し、サラウンドを実現する回路や、チューナー手段５３からの出力と音出力機器からの出力の切替の制御を行うスイッチ回路などを搭載して、例えば、ケース内に格納されている。中継部５は、コネクタ部１と音響出力部２を接続するコードの間に存在する。中継部５は、コネクタ部１と音響出力部２を接続するコードの間に存在すれば良く、中継部５の詳細な位置は問わない。
【００２５】
入力受付手段５１は、ユーザからの入力を受け付ける。入力受付手段５１は、いわゆるリモコンを構成する。入力受付手段５１の具体例を、図３に示す。図３において、チューナー手段５３は、ＦＭチューナーである、とする。図３（ａ）は、入力受付手段５１の左側面図である。図３（ｂ）は、入力受付手段５１の斜視図である。図３（ｃ）は、入力受付手段５１の右側面図である。入力受付手段５１の左側面図において、ＨＯＬＤボタン３０１、音量を調節する「＋」「−」のボタンである音量ボタン３０２、音出力機器からの音声を出力している場合には早送りとなり、ＦＭチューナーからの音声を出力している場合にはＵＰ選局を行うボタン３０３、音出力機器からの音声を出力している場合にはＰＬＡＹまたはＳＴＯＰの指示となり、ＦＭチューナーからの音声を出力している場合にはＲＥＳＥＴの指示となるボタン３０４、音出力機器からの音声を出力している場合には巻き戻しとなり、ＦＭチューナーからの音声を出力している場合にはＤＯＷＮ選局を行うボタン３０５、受話のための音声出力部３０６（図２のブロック図には図示しない）、マイク３０７（図２のブロック図には図示しない）、Ｍ３ジャック３０８を有する。周辺音を検出するマイクは、音響出力に重畳して聞こえる周辺音のノイズキャンセラとして機能することは好適である。また、入力受付手段５１の右側面図において、ノイズキャンセル機能（図２のブロック図には図示しない）のＯＮ／ＯＦＦを切り替えるスイッチ３０９、ＦＭ／ミュージックを切り替えるスイッチ３１０、サラウンド（図２のブロック図には図示しない）のモードを切り替えるスイッチ３１１を具備する。サラウンドのモードを切り替えるスイッチ３１１を連続的に押下すると、「ＯＦＦ〜１〜２〜３〜ＯＦＦ」の４モードを連続的に切り替わる。なお、ノイズキャンセル機能に対応するスイッチ３０９についても、ＯＮ／ＯＦＦのみの切替スイッチではなく、「ＯＦＦ〜１〜２〜３〜ＯＦＦ」の４モードを連続的に切り替わるスイッチであっても良い。
【００２６】
アンテナ５２は、無線信号を受信する。無線信号とは、ＦＭ放送波が好適であるが、ＡＭ放送波、有線ＴＶ放送波、ビデオ信号、ＦＭ多重文字データ、及び衛星航法システムデータ及びＶＩＣＳ（財団法人道路交通情報通信システム）データ等でも良い。アンテナ５２は、通常、受信する無線信号の周波数に応じた長さを有する。
【００２７】
チューナー手段５３は、アンテナ５２が受信した無線信号から音声信号を出力する。また、チューナー手段５３は、入力受付手段５１が受け付けた入力に応じて、アンテナ５２が受信した２以上の周波数の無線信号から一の無線信号を選択し、当該選択した一の無線信号から音声信号を出力しても良い。チューナー手段５３は、例えば、ＦＭチューナーである。また、チューナー手段５３は、例えば、ＡＭチューナーでも良い。チューナー手段５３は、公知技術により実現可能であるので、詳細な説明は省略する。
【００２８】
信号処理手段５４は、チューナー手段５３が出力した音信号を処理し、音声を構成する。信号処理手段５４は、例えば、従来技術による回路により実現可能である。
【００２９】
命令送信手段５５は、入力受付手段５１が受け付けた入力に応じて、音出力機器に命令を送信する。命令とは、早送り、巻き戻し、ＰＬＡＹ、ＳＴＯＰなどの命令である。命令のコードやデータ構造は問わない。
【００３０】
選択手段５６は、命令送信手段が５５送信した命令に対応して、音出力機器が出力した音声、または信号処理手段５４が構成した音声を選択する。選択手段５６は、音出力機器が出力した音声と信号処理手段５４が構成した音声の切り替えを行うイッチ回路により実現可能である。また、選択手段５６は、入力受付手段５１が一の入力を連続して受け付けた場合に、当該受け付けに応じて、シームレスに、音出力機器が出力した音声、または信号処理手段５４が構成した音声のいずれかを選択することは好適である。つまり、例えば、ユーザが例えば、入力受付手段５１の「ＵＰ」ボタンを押下し続けた場合に、チューナー手段５３の選局が順次、変更され、選択手段５６は、順次、変更された選局結果の音声を選択し、一周回った次には、選択手段５６は、音出力機器が出力した音声を選択する、という動作を行うことは好適である。
【００３１】
以上、本実施の形態によれば、チューナー付のアンテナ内蔵型ヘッドホンにより、音出力機器から出力される音楽や音声に加えて、アンテナ内蔵型ヘッドホンが内蔵している信号処理手段が構成した音声を視聴できる。したがって、チューナーが例えば、ＦＭチューナーであり、本アンテナ内蔵型ヘッドホンを持ち運び、２以上の音出力機器に接続することにより、ＦＭチューナー付の複数の音出力機器が実現できる。
【００３２】
また、本実施の形態において、入力受付手段５１は、チューナー手段５３が選局して得た音声と、音出力機器からの音声を切り替えるスイッチは必須ではない。つまり、入力受付手段５１は、例えば、図２（ｂ）のボタン３０３などの一のボタンを用いて、当該ボタンをユーザが連続的に押下した場合に、入力受付手段５１が一の入力を連続して受け付け、選択手段５６は、当該受け付けに応じて、シームレスに、音出力機器が出力した音声、または信号処理手段５４が構成した音声を選択するように構成しても良い。つまり、かかるアンテナ内蔵型ヘッドホンは、チューナー手段５３が、入力受付手段５１が受け付けた入力に応じて選局し、選択手段５６は、入力受付手段５１が一の入力を連続して受け付けた場合に、当該受け付けに応じて、シームレスに、音出力機器が出力した音声、または信号処理手段５４が構成した音声を選択するアンテナ内蔵型ヘッドホンである。かかるアンテナ内蔵型ヘッドホンの構成により、音出力機器が出力した音声、または信号処理手段が構成した音声をシームレスに切り替えることができる。
【００３３】
また、本実施の形態において、中継部５等が動作するための電源について図示しなかった。これは、電源は、音出力機器の電源を用いるからである。ただし、中継部５は、電源部をさらに具備し、コネクタ部１が音出力機器に接続されていない場合でも、選択手段５６が選択した音声が音響出力部２に出力される構成でも良い。かかる構成により、アンテナ内蔵型ヘッドホンのみでも、信号処理手段が構成した音声を視聴できる。かかるアンテナ内蔵型ヘッドホンについて、実施の形態２において、説明する。
【００３４】
また、本実施の形態において、中継部５は、ノイズをキャンセルするノイズキャンセル手段を具備することは好適である。ノイズキャンセル手段は、例えば、マイクにより実現できる。
【００３５】
また、本実施の形態において、中継部５は、丸ピンタイプ３極STプラグと接続される必要はない。本アンテナ内蔵型ヘッドホンは、一方の端部に音出力機器に接続されるコネクタ部を、他方の端部に音響出力部を備え、両端部を接続するコードの中間に中継部を有するアンテナ内蔵型ヘッドホンでも良い。かかる場合のアンテナ内蔵型ヘッドホンの斜視図を図４に示す。
（実施の形態２）
【００３６】
図５は、本アンテナ内蔵型ヘッドホンを構成する中継部５０、およびアンテナ内蔵型ヘッドホンが接続される音出力機器１０のブロック図の一例である。
【００３７】
中継部５０は、入力受付手段５１、アンテナ５２、チューナー手段５３、信号処理手段５４、命令送信手段５５、選択手段５６、電池５０１、アンテナ周波数分離手段５０２、制御周波数重畳手段５０３、音声周波数分離手段５０４、直流分離手段５０５、電源切替手段５０６を具備する。
【００３８】
音出力機器１０は、電源１０１、アンテナ周波数遮断手段１０２、制御周波数重畳手段１０３、制御部１０４、音声周波数重畳手段１０５、音出力部１０６を具備する。音出力機器１０は、例えば、ＣＤプレーヤー、ＭＤプレーヤー、ハードディスクプレーヤーなどである。
【００３９】
電池５０１は、中継部５０が有する電源を構成する。電池５０１は、後述する電源切替手段５０６により、切り替えられた場合（選択された場合）に、中継部５０の電源として機能することが好適である。
【００４０】
アンテナ周波数分離手段５０２は、アンテナからの電波を異なる周波数成分に分離する。アンテナ周波数分離手段５０２は、例えば、周波数分離膜などにより実現され得る。
【００４１】
制御周波数重畳手段５０３は、命令送信手段５５から送信された命令信号を出力される音声などに重畳する。
【００４２】
音声周波数分離手段５０４は、出力する音声の周波数を分離する。
【００４３】
直流分離手段５０５は、音出力機器１０より中継部５０の電源を供給する場合に、接続ケーブルに重畳した電源直流成分を分離する。かかる分離した電源直流成分は、中継部５０の電源となり得る。
【００４４】
電源切替手段５０６は、中継部５０を動作させるための電源を、中継部５０の電池５０１から得るか、音出力機器０１０の電源１０１（直流分離手段５０５）から得るかの切り替えを行う。
【００４５】
電源１０１は、音出力機器１０の電源である。
【００４６】
アンテナ周波数遮断手段１０２は、アンテナ５２が受け付けた電波のうち、特定の周波数の電波だけを遮断する。
【００４７】
制御周波数重畳手段１０３は、中継部５９から受け付けた命令信号を重畳し、制御部１０４に渡す。
【００４８】
制御部１０４は、制御周波数重畳手段１０３からの制御信号に従った制御を行う。制御とは、例えば、早送りや再生や巻き戻しや停止や一時停止などである。
【００４９】
音声周波数重畳手段１０５は、音出力部１０６が出力した音声を周波数に分離し、重畳する。
【００５０】
音出力部１０６は、音出力を行う。
【００５１】
次に、図５を用いて説明した中継部５０、および音出力機器１０の具体的な構成について、図６を用いて説明する。
【００５２】
図６において、中継部５０は、入力受付手段５１、アンテナ５２、チューナー手段５３、信号処理手段５４、命令送信手段５５、選択手段５６、電源５０１、キャパシタ６０１、キャパシタ６０５、キャパシタ６０６、キャパシタ６０７、インダクタ６０２、インダクタ６０３、インダクタ６０４、安定化電源６０８を具備する。
【００５３】
アンテナ周波数分離手段５０２は、図６において、キャパシタ６０１とインダクタ６０２で実現される。
【００５４】
制御周波数重畳手段５０３は、インダクタ６０３とキャパシタ６０５で実現される。
【００５５】
音声周波数分離手段５０４は、インダクタ６０４で実現される。
【００５６】
直流分離手段５０５は、安定化電源６０８とキャパシタ６０７で実現される。
【００５７】
電源切替手段５０６は、切替部６０９で実現される。
【００５８】
また、音出力機器１０は、電源１０１、制御部１０４、音出力部１０６、インダクタ１００１、インダクタ１００２、インダクタ１００３、キャパシタ１００４、キャパシタ１００５、キャパシタ１００６を具備する。
【００５９】
アンテナ周波数遮断手段１０２は、インダクタ１００１で実現される。
【００６０】
制御周波数重畳手段１０３は、インダクタ１００２、インダクタ１００３、およびキャパシタ１００４で実現される。
【００６１】
音声周波数重畳手段１０５は、キャパシタ１００５、キャパシタ１００６、およびインダクタ１００３で実現される。
【００６２】
なお、以上の具体的構成は、インダクタンス、キャパシタンスによるアナログ・フィルタ回路による原理回路としたが、機能的に等価な回路は多数あることは周知とおりで、例えばＩＣ化に適したさまざまな回路構成手法は、同様の効果をもつものとして各ブロックに使用される。
【００６３】
以上、本実施の形態において、中継部は、電源部を具備し、コネクタ部が音出力機器に接続されていない場合でも、信号処理手段が構成した音声であり、選択手段が取得した音声が音響出力部に出力される。したがって、ユーザは、アンテナ内蔵型ヘッドホンのみでも、信号処理手段が構成した音声を視聴できる。
【００６４】
また、上記各実施の形態において、各処理（各機能）は、単一の装置（システム）によって集中処理されることによって実現されてもよく、あるいは、複数の装置によって分散処理されることによって実現されてもよい。
【００６５】
本発明は、以上の実施の形態に限定されることなく、種々の変更が可能であり、それらも本発明の範囲内に包含されるものであることは言うまでもない。
【産業上の利用可能性】
【００６６】
以上のように、本発明にかかるアンテナ内蔵型ヘッドホンは、音出力機器から出力される音楽や音声に加えて、アンテナ内蔵型ヘッドホンが内蔵している信号処理手段が構成した音声を視聴できる、という効果を有し、複数の音出力機器に接続可能なアンテナ内蔵型ヘッドホン等として有用である。
【図面の簡単な説明】
【００６７】
【図１】実施の形態１におけるアンテナ内蔵型ヘッドホンの斜視図
【図２】同アンテナ内蔵型ヘッドホンを構成する中継部のブロック図
【図３】同アンテナ内蔵型ヘッドホンを構成する入力受付手段を示す図
【図４】同他のアンテナ内蔵型ヘッドホンの斜視図
【図５】実施の形態１におけるアンテナ内蔵型ヘッドホンを構成する中継部等のブロック図
【図６】同アンテナ内蔵型ヘッドホンを構成する中継部等の具体的構成を示す図
【符号の説明】
【００６８】
１  コネクタ部
２  音響出力部
３  コード
４  丸ピンタイプ３極STプラグ
５  中継部
１０  音出力機器
５１  入力受付手段
５２  アンテナ
５３  チューナー手段
５４  信号処理手段
５５  命令送信手段
５６  選択手段
１０１  電源
１０２  アンテナ周波数遮断手段
１０３  制御周波数重畳手段
１０４  制御部
１０５  音声周波数重畳手段
１０６  音出力部
５０１  電池
５０２  アンテナ周波数分離手段
５０３  制御周波数重畳手段
５０４  音声周波数分離手段
５０５  直流分離手段
５０６  電源切替手段
【図２】
2008028433.tif 000003
【図５】
2008028433.tif 000004
【図６】
2008028433.tif 000005
【図１】
2008028433.tif 000006
【図３】
2008028433.tif 000007
【図４】
2008028433.tif 000008